(57)【要約】【課題】  光源部の眩しさや映り込みが低減できるとともに、広い領域を明るく照明することのできる点光源を有する照明器具を提供する。【解決手段】  照明器具１は、一面２ａに光反射性を有する平面状の天板２と、天板２の一面２ａから天板２に対して垂下している垂下部材９および垂下部材９の先端部９ｂに天板２に対向しかつ天板２に対して所定の角度Ｋ１を有して設けられている傾斜板１０を有してなり、天板２の一面２ａに列状に設けられたる光源部材３と、天板２の一面２ａに向かって光が放射されるように傾斜板１０の天板２に対向する面１０ａに配設された点光源４と、点光源４を点灯させる点灯装置５とを具備している。【選択図】図１
2010034011.tif 000002
【特許請求の範囲】
【請求項１】
一面に光反射性を有する平面状の天板と；
この天板の前記一面から垂下している垂下部材およびこの垂下部材の先端部に天板に対向しかつ天板に対して所定の角度を有して設けられている傾斜板を有してなり、天板の前記一面に列状に設けられた複数の光源部材と；
天板の前記一面に向かって光が放射されるように前記傾斜板の天板に対向する面に配設された点光源と；
点光源を点灯させる点灯装置と；
を具備していることを特徴とする照明器具。
【請求項２】
列状の両側に位置する光源部材は、その垂下部材よりも列状方向の外側に位置する傾斜板が天板に対して前記所定の角度よりも大きい角度を有するように設けられ、当該傾斜板に配設された点光源から放射された光が天板の前記一面の外側に向かって出射されることを特徴とする請求項１記載の照明器具。
【請求項３】
光源部材は、その垂下部材の先端部に前記列状方向の両側となるように一対の傾斜板が設けられ、隣り合う光源部材間のそれぞれの傾斜板は、点光源が配設方向で互いに千鳥状となるように配設されていることを特徴とする請求項１または２記載の照明器具。
【請求項４】
光源部材の傾斜板は、点光源の配設方向に沿って孔が設けられていることを特徴とする請求項１ないし３いずれか一記載の照明器具。
【請求項５】
光源部材の傾斜板は、可視光が透過する部材により形成されていることを特徴とする請求項１ないし４いずれか一記載の照明器具。
【発明の詳細な説明】
【技術分野】
【０００１】
本発明は、点光源から放射された光を照明光として用いる照明器具に関する。
【背景技術】
【０００２】
近年、省電力化や環境保全などの観点から、蛍光ランプを搭載した照明器具に代えて、発光ダイオード（ＬＥＤ）を用いたＬＥＤ照明器具が利用されている。そして、ＬＥＤ照明器具には、蛍光ランプと同等の明るさを得るために、高出力化された多数の発光ダイオードを用いているものがある。このＬＥＤ照明器具は、光源部が非常に高輝度であり、見上げたときに非常に眩しさを感じる。また、ディスプレイの画面、光沢紙やデスクマットなどの光沢のあるものに光源部の映り込みが生じることがある。このため、発光ダイオードからの放射光を反射板で反射させ、その反射光を照明光として利用することが行われている。
【０００３】
例えば、複数のＬＥＤランプと反射板を備え、複数のＬＥＤランプの光軸が反射板で略集合する構成の照明器具が提案されている（特許文献１参照。）。この従来技術の照明器具は、複数のＬＥＤランプの光軸を反射板上の集合箇所に略集合させることにより、照明光の光量を増加することができるというものである。また、反射板の集合箇所やその他の位置の照明光の反射等により、ＬＥＤランプの照明光を混色し、色調の平均化を図って色むらを無くし、色合いの均一な白色光等の良好な照明光を得ることができるというものである。
【０００４】
また、ＬＥＤ光源を放物曲線形の反射板の一端部に取り付け、底部（光出射部）にスリット状の散乱板を取り付けた照明光源装置が提案されている（特許文献２参照。）。この従来技術の照明光源装置は、反射板で反射された光が散乱板を透過することで散乱し、散乱板の長手方向に沿ってＲＧＢの各色がほぼ均等に混ざり合ってスリット状（線状）に一様に照射されるというものである。
【特許文献１】特開２００４−１８６１０４号公報（第４頁、第１図）
【特許文献２】特開平７−２９０７６０号公報（第３頁、第１図）
【発明の開示】
【発明が解決しようとする課題】
【０００５】
特許文献１の照明器具は、複数のＬＥＤランプの光軸を反射板上の集合箇所に略集合させて照明光の光量を増加させるので、照明光によって照明される領域のうち、明るく照明される領域が狭いという欠点を有する。また、特許文献２の照明光源装置は、光出射部に散乱板を有するので、この散乱板による光の損失があり、照明光の光量が減少し、照明光の出射効率が低下するとともに、照射むらが生じるという欠点を有する。これは、光出射部に拡散板を配設したものでも同様である。
【０００６】
本発明は、照明光の眩しさや映り込みが低減できるとともに、広い領域を明るく照明することのできる点光源を有する照明器具を提供することを目的とする。
【課題を解決するための手段】
【０００７】
請求項１に記載の照明器具の発明は、一面に光反射性を有する平面状の天板と；この天板の前記一面から垂下している垂下部材およびこの垂下部材の先端部に天板に対向しかつ天板に対して所定の角度を有して設けられている傾斜板を有してなり、天板の前記一面に列状に設けられた複数の光源部材と；天板の前記一面に向かって光が放射されるように前記傾斜板の天板に対向する面に配設された点光源と；点光源を点灯させる点灯装置と；を具備していることを特徴とする。
【０００８】
本発明および以下の各発明において、特に言及しない限り、各構成は以下による。
【０００９】
点光源は、例えば発光ダイオードやＥＬ素子などである。
【００１０】
「平面状」とは、幾何学的や顕微鏡的な平面ではなく、例えば照明器具を見上げる距離から天板を視認したときに平面に見える程度であればよく、光拡散性を有するために凹凸などが形成されていることを許容する。
【００１１】
また、垂下部材は、天板から被照射面側に向かって垂下していればよく、天板に対して例えば、略直角に垂下しているものである。
【００１２】
垂下部材は、その形状などは問わないが、外面が反射面や反射性を有するように形成されていることが好ましい。例えば、平板またはパイプなどに形成することができる。
【００１３】
「天板に対向しかつ天板に対して所定の角度を有して設けられる傾斜板」とは、傾斜板が天板の一面に平行ではなく、また、天板の一面と直交しないことを意味している。傾斜板には、点光源が配設され、点光源から放射した光が天板の一面に照射されるので、所定の角度は、点光源から放射した光が天板の一面を照射する範囲に設定される。
【００１４】
傾斜板は、垂下部材の先端部に、光源部材の列状方向の両側となるように一対設けられていてもよく、隣り合う光源部材間に傾斜板が存在すれば、光源部材の列状方向の片側となるように設けられていてもよい。
【００１５】
複数の光源部材は、列状に設けられるに際して、隣り合う光源部材のそれぞれの傾斜板の間に、天板の一面で反射された光が出射する光出射口（開口）が形成されるものである。
【００１６】
天板および光源部材は、箱体または枠体などに収容されるようにしてもよい。そして、点灯装置は、天板の一面に対する背面側に設けてもよく、天井裏などに別置してもよく、あるいは箱体や枠体などに収納してもよい。
【００１７】
照明器具は、天井などの造営物に吊り下げ、直付けまたは埋め込みして使用することができる。
【００１８】
本発明によれば、点光源から放射された光は、天板の一面に照射され、天板の一面で反射され拡散される。その反射光の一部は、例えば床面側の照射領域を照明し、残りの一部は、傾斜板の天板に対向する面に照射し、その面で反射されて、再び、天板の一面に照射される。その照射光は、再び反射され、その一部が床面側の照明領域を照明するようになる。
【００１９】
点光源からの放射光は、光反射性を有する天板の一面で反射されて照明光となっているので、天板側を見上げたときに、光源部材の間が光っているように見えるとともに、天板を斜め方向から見上げたときに、拡散反射光が傾斜板により遮られる。この結果、天板側を見上げたときの眩しさが低減され、ディスプレイの画面や光沢物への照明光の映り込みが低減される。また、光源部材が列状に設けられているので、照明光の照射むらが生じにくくなる。
【００２０】
請求項２に記載の照明器具の発明は、請求項１記載の照明器具において、列状の両側に位置する光源部材は、その垂下部材よりも列状方向の外側に位置する傾斜板が天板に対して前記所定の角度よりも大きい角度を有するように設けられ、当該傾斜板に配設された点光源から放射された光が天板の前記一面の外側に向かって出射されることを特徴とする。
【００２１】
本発明によれば、天板の一面の外側に向かって出射された点光源からの放射光により、天井などの造営物が照明され、造営物面と天板の一面との輝度のコントラスト比が小さくなる。これにより、天板側を見上げたときの眩しさがより低減される。
【００２２】
請求項３に記載の照明器具の発明は、請求項１または２記載の照明器具において、光源部材は、その垂下部材の先端部に前記列状方向の両側となるように一対の傾斜板が設けられ、隣り合う光源部材間のそれぞれの傾斜板は、点光源が配設方向で互いに千鳥状となるように配設されていることを特徴とする。
【００２３】
本発明によれば、隣り合う光源部材間のそれぞれの傾斜板に配設された点光源から放射された光は、光源部材の列状方向と交差する方向（点光源の配設方向）の天板の一面に互い違いに入射されて反射され、これにより、隣り合う光源部材間の開口（光出射口）から出射される光が略均一化される。
【００２４】
請求項４に記載の照明器具の発明は、請求項１ないし３いずれか一記載の照明器具において、光源部材の傾斜板は、点光源の配設方向に沿って孔が設けられていることを特徴とする。
【００２５】
孔は、その大きさが大きいと、孔を通過する光が眩しく感じられることがあるので、点光源の占有面積と同等または当該占有面積よりも小さく形成されていることが好ましい。
【００２６】
また、孔は、ランダムに設けられてもよいが、等間隔に設けられることにより、より傾斜板全体から光が出射しているように見せられ、より傾斜板全体が略均一に光っているように見せられる。
【００２７】
本発明によれば、傾斜板に設けられた孔から天板の一面で反射された照明光の一部が出射するので、天板側を見上げたときに、光源部材の間とともに傾斜板全体が光っているように見える。この結果、天板側を見上げたときの眩しさがより低減され、ディスプレイの画面や光沢物への照明光の映り込みがより低減される。
【００２８】
請求項５に記載の照明器具の発明は、請求項１ないし４いずれか一記載の照明器具において、光源部材の傾斜板は、可視光が透過する部材により形成されていることを特徴とする。
【００２９】
部材は、ガラスまたはアクリル材などのプラスチック材とすることができる。
【００３０】
本発明によれば、天板の一面で反射された照明光の一部が傾斜板を透過するので、天板側を見上げたときに、光源部材の間とともに傾斜板全体が光っているように見える。この結果、天板側を見上げたときの眩しさがより低減され、ディスプレイの画面や光沢物への照明光の映り込みがより低減される。
【発明の効果】
【００３１】
請求項１の発明によれば、複数の光源部材が天板の一面に列状で設けられているので、照明光による明るさのむらを生じにくくすることができるとともに、照明領域を広くかつ明るくすることができ、天板の一面は、光反射性を有するように形成され、光源部材の傾斜板から天板の一面に向かって照射された点光源の放射光を反射して照明光とするので、天板側を見上げたときに光源部材間が光っているように見え、斜め方向から天板側を見上げたときに傾斜板で拡散反射光が遮られることにより、照明光の眩しさが低減され、ディスプレイの画面や光沢物への照明光の映り込みが低減されて、人に対する不快感や目の疲労などを軽減することができ、かつ光出射口（開口）や光照射経路の中間に光拡散板や散乱板などを配設しないので、出射効率の向上した照明光を得ることができる。
【００３２】
請求項２の発明によれば、列状の両側に位置する光源部材の垂下部材よりも列状方向の外側に位置する傾斜板に配設された点光源から放射された光が天板の一面の外側に向かって出射されて、天井面などの造営物面と天板の一面との輝度のコントラスト比を小さくする結果、天板側を見上げたときの眩しさをより低減することができ、人に対する不快感や目の疲労などをより軽減することができる。
【００３３】
請求項３の発明によれば、隣り合う光源部材間のそれぞれの傾斜板は、点光源が配設方向で互いに千鳥状となるように配設されていることにより、点光源から放射された光が点光源の配設方向の天板の一面に互い違いに入射されて拡散反射して、光源部材間の光出射口(開口)から略均一に出射されるので、被照射面における明るさのむらをより生じにくくすることができる。
【００３４】
請求項４の発明によれば、傾斜板に設けられた孔から天板の一面で反射された照明光の一部が出射し、光源部材の間とともに傾斜板全体が光っているように見えるので、天板側を見上げたときの眩しさをより低減することができ、ディスプレイの画面や光沢物への照明光の映り込みをより低減することができて、人に対する不快感や目の疲労などをさらに軽減することができる。
【００３５】
請求項５の発明によれば、天板の一面で反射された照明光の一部が傾斜板を透過し、光源部材の間とともに傾斜板全体が光っているように見えるので、天板側を見上げたときの眩しさをより低減することができ、ディスプレイの画面や光沢物への照明光の映り込みをより低減することができて、人に対する不快感や目の疲労などをさらに軽減することができる。
【発明を実施するための最良の形態】
【００３６】
以下、本発明の一実施の形態について、図面を参照して説明する。まず、本発明の第１の実施形態について説明する。
【００３７】
図１および図２は、本発明の第１の実施形態を示し、図１は照明器具であり、（ａ）は概略正面図、（ｂ）は（ａ）のＸ−Ｘ方向の概略側断面図、図２は傾斜板での発光ダイオードの配設を示す概略断面図である。
【００３８】
図１において、照明器具１は、天板２、光源部材３、点光源としての発光ダイオード４および点灯装置５を有して構成されている。照明器具１は、天井面６に吊り下げられた吊下げ照明器具であり、光源部材３に設けられた発光ダイオード４からの放射光を天板２の一面（下面）２ａで反射させて、床面側の領域を照明するものである。また、最も外側に位置する発光ダイオード４からの放射光により、天井面６を照明するものである。
【００３９】
天板２は、一面としての下面２ａおよび上面２ｂがそれぞれ平面状に形成された長方形に形成され、板厚が比較的大きいアルミニウム（Ａｌ）板からなっている。そして、下面２ａは、例えば梨地処理された後、アルマイト処理されて、光反射性および光拡散性を有するように形成されている。天板２は、天井面６に設けられた複数の固定部材７に吊下部材例えばチェーン８により吊り下げられている。
【００４０】
なお、天板２は、アルミニウム（Ａｌ）の他、ステンレス（ＳＵＳ）や鋼板などで形成することができ、光拡散性を有するために梨地処理の他、エンボス加工を行ってもよく、光反射性を有するためにアルミ蒸着や銀蒸着、化学研磨や電解研磨などを行ってもよい。
【００４１】
光源部材３は、例えばアルミニウム（Ａｌ）からなり、垂下部材としての垂下板９および傾斜板１０からなっている。垂下板９は、図１（ｂ）に示すように、一端側９ａの長手寸法が天板２の短幅寸法とほぼ同等である長方形に形成されている。そして、一端側９ａが天板２の下面２ａに溶接され、天板２の下面２ａから天板２に対してほぼ直角に垂下している。垂下板９の表面は、例えばアルマイト処理され、反射面となっている。
【００４２】
傾斜板１０は、その長手寸法が垂下板９の一端側９ａの長手寸法と同等である長方形に形成され、図１（ａ）に示すように、天板２の下面２ａに対向しかつ天板２に対して所定の角度Ｋ１を有するように、垂下板９の他端側（先端部）９ｂに溶接により設けられている。傾斜板１０は、垂下板９の板厚方向の左右両側に対を成して２個設けられている。そして、傾斜板１０は、例えばアルマイト処理により反射面に形成され、天板２に対向する面である上面１０ａに発光ダイオード４を配設している。前記所定の角度Ｋ１は、発光ダイオード４から放射された光が天板２の下面２ａを照射する角度に設定されている。
【００４３】
そして、光源部材３は、複数個であり、天板２の下面２ａに、天板２の長手方向に列状に等間隔で設けられている。両側の最も外側に位置する光源部材３ａ，３ｂは、垂下部材９よりも列状方向の外側に位置する傾斜板１０Ｃ，１０Ｄが天板２の下面２ａに対して前記所定の角度Ｋ１よりも大きい角度Ｋ２を有するように、傾斜板１０Ｃ，１０Ｄを垂下板９の他端側（先端部）９ｂに溶接により設けている。前記角度Ｋ２は、傾斜板１０Ｃ，１０Ｄに配設されている発光ダイオード４，４からの放射光が、図１（ａ）中、矢印Ｂ１，Ｂ２で示すように、天板２の下面２ａの外側に向かって出射されるように設定されている。また、隣り合う光源部材３，３の傾斜板１０，１０間は、光照射口（開口）１１となっている。
【００４４】
発光ダイオード４は、面実装形であり、可視光例えば白色光を放射するように構成されている。そして、複数個の発光ダイオード４が傾斜板１０の上面１０ａに傾斜板１０の長手方向に沿って等間隔で配設され、かつ天板２の下面２ａに向かって放射光が照射するように配設されている。傾斜板１０の長手方向の一端側１０ｂには、端子台１２が設けられている。複数個の発光ダイオード４は、傾斜板１０の上面１０ａに形成され、端子台１２に電気接続している配線パターン１３により直列接続されている。
【００４５】
配線パターン１３は、図２に示すように、例えばエポキシ樹脂からなるプリプレグ（絶縁層）１４を介して傾斜板１０の上面１０ａに形成されている。発光ダイオード４の電極４ａ，４ｂは、パッド１５，１５でのはんだ付けにより、配線パターン１３に電気接続されている。配線パターン１３の表面は、レジスト１６により絶縁処理されている。発光ダイオード４は、配線パターン１３に流れる電流が供給されて点灯（発光）し、可視光を放射する。
【００４６】
端子台１２には、図１（ｂ）に示すように、コネクタ１７を有するリード線１８が接続されている。リード線１８は、垂下板９の表面に沿って配線され、天板２に設けた貫通孔１９を通過して、点灯装置５に導入されている。すなわち、リード線１８は、点灯装置５の出力線である。
【００４７】
点灯装置５は、天板２の上面２ｂに配置され、天井面６側から導出された電源コード２０に接続されている。点灯装置５は、交流電源を整流平滑して直流電源を生成し、発光ダイオード４に電流を供給して、発光ダイオード４を点灯するように構成されている。
【００４８】
次に、本発明の第１の実施形態の作用について述べる。
【００４９】
点灯装置５は、電源コード２０を介して給電すると、傾斜板１０に配設されている発光ダイオード４に電流を供給する。これにより、発光ダイオード４は、点灯して可視光例えば白色光を放射する。発光ダイオード４からの放射光は、天板２の下面２ａに向かって照射される。
【００５０】
天板２の下面２ａは、例えば梨地処理され、アルマイト処理されて、光反射性および光拡散性を有するように形成されているので、入射した発光ダイオード４からの放射光を拡散反射させる。そして、拡散反射された放射光の一部は、図１（ａ）中、矢印Ａ１，Ａ２で示すように、傾斜板１０，１０間の光出射口１１から床面側の領域に出射される。
【００５１】
また、拡散反射された放射光の残りは、垂下板９および傾斜板１０の上面１０ａに入射する。垂下板９の表面および傾斜板１０の上面１０ａは、例えばアルマイト処理されて、反射面に形成されているので、入射した前記拡散反射光を反射する。そして、その反射光は、再び、天板２の下面２ａで拡散反射され、その一部が光出射口１１から床面側の領域に出射される。
【００５２】
また、列状方向の最も外側に位置する傾斜板１０Ｃ，１０Ｄに配設されている発光ダイオード４からの放射光は、図１（ａ）中、矢印Ｂ１，Ｂ２で示すように、天板２の下面２ａの外側に向かって出射される。これにより、天井面６が照明される。
【００５３】
床面側の照明領域は、傾斜板１０，１０間の光出射口１１から出射される出射光により照明される。そして、１つの光源部材３に対を成す２個の傾斜板１０が設けられ、各傾斜板１０は、長方形に形成されて、その長手方向に沿って発光ダイオード４を複数個が配設しているので、発光ダイオード４から放射される光量が多く、光出射口１１から出射される照明光の光量も多くなっている。
【００５４】
また、光源部材３は、長方形に形成された天板２の長手方向に沿って列状に等間隔で複数個が設けられているので、傾斜板１０の数量の増加に伴い、発光ダイオード４の配設領域が広くなるとともに、天板２の長手方向に対する光出射口１１の数量も増加して、天板２の長手方向に対する照明領域が広く形成され、照射むらが生じにくくなる。したがって、発光ダイオード４からの放射光により、床面側の広い領域を、明るさのむらが生じにくくして明るく照明することができる。また、光出射口１１は、開口していて照明光の損失がないので、出射効率の向上した照明光を得ることができる。
【００５５】
そして、発光ダイオード４からの放射光は、天板２の下面２ａで拡散反射された後、光出射口１１から出射されて照明光となるので、天板２側を見上げたときに、光源部材３，３間が光っているように見えるとともに、天板２側を斜め方向から見上げたときに、傾斜板１０により拡散反射が遮られる。これにより、照明光の輝度は低いものとなり、ディスプレイの画面や光沢物への映り込みが低減される。この結果、人に対する目の疲労を軽減することができる。
【００５６】
また、天板２側を見上げたときに、照明光の輝度が低くなっていることにより、照明光の眩しさが低減されるようになる。特に、列状方向の最も外側に位置する傾斜板１０Ｃ，１０Ｄに配設されている発光ダイオード４からの放射光により、天井面６が照明されているので、天井面６と天板２側との輝度のコントラスト比が小さくなって、天板２側を見上げたときの照明光の眩しさがより低減される。この結果、天板２側を見上げたときに、照明光の眩しさによって人が不快感を生じることを軽減することができる。
【００５７】
なお、複数個の光源部材３は、天板２の長手方向に列状にかつ等間隔で設けたが、天板２の短幅方向に列状にかつ等間隔で設けてもよく、言うなれば、複数個の光源部材３を列状にかつ等間隔に設ければ、その配設方向は問わないものである。また、光源部材３は、等間隔に設けなくてもよい。
【００５８】
また、天板２や光源部材３は、空間に露呈させずに、例えば箱体や枠体などの器具本体に収容してもよい。
【００５９】
次に、本発明の第２の実施形態について述べる。
【００６０】
図３は、本発明の第２の実施形態を示す照明器具の一部概略横断面図である。なお、図１と同一部分には、同一符号を付して説明は省略する。
【００６１】
図３に示す照明器具２１は、図１に示す照明器具１において、列状方向の中間（内側）に位置する光源部材３，３が光源部材２２，２２に形成されたものである。光源部材２２は、光源部材３と同様に、垂下板９の先端部９ｂに光源部材２２の列状方向の両側となるように一対の傾斜板１０，１０が設けられている。しかし、隣り合う光源部材２２，２２間に位置するそれぞれの傾斜板１０Ｅ，１０Ｆは、傾斜板１０Ｅ，１０Ｆの長手方向（発光ダイオード４の配設方向）で発光ダイオード４，４を互いに千鳥状となるように配設している。すなわち、傾斜板１０Ｅ，１０Ｆに配設している発光ダイオード４，４は、光源部材２３，２３の列状方向において互いに正対していないものである。
【００６２】
傾斜板１０Ｅ，１０Ｆの発光ダイオード４，４から放射されたそれぞれの光は、傾斜板１０Ｅ，１０Ｆの長手方向（発光ダイオード４の配設方向または光源部材２２，２２の列状方向と直交する方向）で、天板２の下面２ａに互い違いに入射して拡散反射される。拡散反射された光は、隣り合う光源部材２２，２２間の光出射口１１から床面側の照明領域（被照射面側）に出射される。
【００６３】
傾斜板１０Ｅ，１０Ｆの長手方向の天板２の下面２ａに発光ダイオード４，４からの放射光が互い違いに入射することにより、傾斜板１０Ｅ，１０Ｆの長手方向における天板２の下面２ａでの拡散反射が部分的ではなくなって略均一化される。これにより、光出射口１１から出射される拡散反射光が略均一化される。この結果、光出射口１１から出射する拡散反射光の照射むらを低減することができて、被照射面における明るさのむらをより生じにくくすることができる。
【００６４】
次に、本発明の第３の実施形態について述べる。
【００６５】
図４は、本発明の第３の実施形態を示す照明器具の一部概略横断面図、図５は、同じく他の照明器具の一部概略横断面図である。なお、図１および図３と同一部分には、同一符号を付して説明は省略する。
【００６６】
図４に示す照明器具２３は、図１に示す照明器具１において、光源部材３，３が光源部材２４，２４に形成されたものである。光源部材２４は、垂下板９の先端部９ｂに光源部材２４の列状方向の両側となるように一対の傾斜板２５，２５が設けられたものである。傾斜板２５，２５は、傾斜板１０と同様に形成されているとともに、その長手方向（発光ダイオード４の配設方向）に沿って、等間隔に孔としての小孔２６が設けられている。小孔２６は、配線パターン１３を挟むようにして、傾斜板２５の長手方向に２列に形成されている。
【００６７】
傾斜板２５に配設されている発光ダイオード４から放射された光は、天板２の下面２ａに入射（照射）して拡散反射される。拡散反射された光の一部は、隣り合う光源部材２４，２４間の光出射口１１から床面側の照明領域（被照射面側）に出射され、拡散反射された光の残部のうちの一部は、傾斜板２５，２５に入射される。傾斜板２５，２５に入射した拡散反射光の一部は、傾斜板２５，２５で反射される。そして、小孔２６に入射した光は、小孔２６を通過して床面側の照明領域に出射される。
【００６８】
天板２の下面２ａで拡散反射された拡散反射光の一部が傾斜板２５，２５間の光出射口１１から出射することにより、天板２の下面２ａや光源部材２４，２４の内側空間が光っているように見える。そして、傾斜板２５，２５の長手方向に小孔２６が等間隔に設けられ、小孔２６から拡散反射光が出射することにより、傾斜板２５，２５の全体が光っているように見える。これにより、傾斜板２５，２５間の光出射口１１と傾斜板２５，２５との輝度差が小さくなり、光出射口１１および傾斜板２５，２５の均斉度が上昇して、天板２側を見上げたときの眩しさが低減される。また、ディスプレイの画面や光沢物への照明光の映り込みが低減される。この結果、人に対する不快感や目の疲労などを軽減することができる。
【００６９】
図５に示す照明器具２７は、図３に示す照明器具２１において、傾斜板１０，１０にその長手方向（発光ダイオード４の配設方向）に沿って等間隔に小孔２６が設けられて傾斜板２８，２８が形成されたものである。すなわち、隣り合う光源部材２９，２９間のそれぞれの傾斜板２８Ｅ，２８Ｆは、発光ダイオード４および小孔２６が傾斜板２８Ｅ，２８Ｆの長手方向（発光ダイオード４の配設方向）で互いに千鳥状となるように設けられている。
【００７０】
照明器具２７は、天板２の下面２ａで拡散反射され、光出射口１１から出射する拡散反射光により、天板２の下面２ａや光源部材２９，２９の内側空間が光っているように見えるとともに、小孔２６を通過する拡散反射光により、傾斜板２８，２８の全体が光っているように見える。また、傾斜板２８Ｅ，２８Ｆを有することにより、光出射口１１から出射する拡散反射光が略均一化される。これにより、天板２側を見上げたときの眩しさを低減することができ、ディスプレイの画面や光沢物への照明光の映り込みを低減することができて、人に対する不快感や目の疲労などを軽減することができるとともに、床面側の被照射面における明るさのむらを生じにくくすることができる。
【００７１】
なお、孔としての小孔２６は、傾斜板２５，２５または傾斜板２８，２８の長手方向に等間隔となるように設けたが、傾斜板２５，２５または傾斜板２８，２８にランダムに設けてもよく、この場合であっても、傾斜板２５，２５または傾斜板２８，２８の全体が光っているように見せられる。
【００７２】
次に、本発明の第４の実施形態について述べる。
【００７３】
図６は、本発明の第４の実施形態を示す照明器具の一部概略横断面である。なお、図１と同一部分には、同一符号を付して説明は省略する。
【００７４】
図６に示す照明器具３０は、図１に示す照明器具１において、例えばアルミニウム（Ａｌ）からなる傾斜板１０に代えて、例えばアクリル樹脂などの可視光を透過する部材により光源部材３１の傾斜板３２が形成されたものである。傾斜板３２は、例えばアルミニウム（Ａｌ）からなる垂下板９の先端部９ｂに接着材により取り付けられている。そして、傾斜板３２は、図２において説明したように、その表面に発光ダイオード４を配設し、配線パターン１３などが形成されている。
【００７５】
傾斜板３２に配設されている発光ダイオード４から放射された光は、天板２の下面２ａに入射して拡散反射される。そして、拡散反射された光の一部は、図６中、矢印Ａ１，Ａ２で示すように、隣り合う光源部材３１，３１間の光出射口１１から床面側の照明領域（被照射面側）に出射される。また、拡散反射された光の一部は、傾斜板３２，３２に入射される。傾斜板３２，３２に入射した拡散反射光は、傾斜板３２の発光ダイオード４の配設部位や配線パターン１３などの形成部位を除き、図６中、矢印Ｃ１，Ｃ２で示すように、傾斜板３２を透過（通過）して床面側の照明領域に出射される。
【００７６】
天板２の下面２ａで拡散反射された拡散反射光の一部が傾斜板３２，３２間の光出射口１１から出射し、拡散反射光の一部が傾斜板３２を通過することにより、天板２の下面２ａや光源部材３１，３１の内側空間が光っているように見えるとともに、傾斜板３２の全体が光っているように見える。これにより、傾斜板３２，３２間の光出射口１１と傾斜板３２，３２との輝度差が小さくなり、光出射口１１および傾斜板３２，３２の均斉度が上昇して、天板２側を見上げたときの眩しさが低減される。また、ディスプレイの画面や光沢物への照明光の映り込みを低減することができて、人に対する不快感や目の疲労などを軽減することができる。
【００７７】
次に、本発明の第５の実施形態について述べる。
【００７８】
図７は、本発明の第５の実施形態の照明器具の概略断面図である。なお、図１と同一部分には、同一符号を付して説明は省略する。
【００７９】
図７に示す照明器具３３は、図１に示す照明器具１において、垂下板１０に代えて、垂下部材としての円筒状のパイプ３４を設けたものである。すなわち、パイプ３４および傾斜板１０により光源部材３５が形成されている。パイプ３４は、例えばアルミニウム（Ａｌ）からなり、一端側３４ａが例えば溶接により天板２の下面２ａに取り付けられ、天板２の下面２ａから天板２に対してほぼ直角に垂下している。
【００８０】
そして、パイプ３４は、他端側３４ｂに、例えばアルミニウム（Ａｌ）からなり、幅小の細長い長方形に形成された取付け板３６を例えば溶接により固定している。そして、この取付け板３６に傾斜板１０が天板２に対して所定の角度Ｋ１または角度Ｋ２を有するようにして設けられている。
【００８１】
また、パイプ３４の他端側３４ｂには、孔３７が形成されており、この孔３７より内部にリード線１８を配設している。天板２には、パイプ３４の一端側３４ａの開口と連通する貫通孔３８が形成されており、リード線１８は、貫通孔３８から天板２の上面２ｂ側に導出されて、点灯装置５に接続されている。
【００８２】
照明器具３３は、発光ダイオード４からの放射光が天板２の下面２ａで拡散反射されて、床面側の照明領域および天井面６を照明するものであり、図１に示す照明器具１と同様の作用、効果を有する。
【図面の簡単な説明】
【００８３】
【図１】本発明の第１の実施形態を示す照明器具であり、（ａ）は概略正面図、（ｂ）は（ａ）のＸ−Ｘ方向の概略側断面図。
【図２】同じく、傾斜板での発光ダイオードの配設を示す概略断面図。
【図３】本発明の第２の実施形態を示す照明器具の一部概略横断面図。
【図４】本発明の第３の実施形態を示す照明器具の一部概略横断面図。
【図５】同じく、他の照明器具の一部概略横断面図。
【図６】本発明の第４の実施形態を示す照明器具の一部概略横断面図。
【図７】本発明の第５の実施形態を示す照明器具の概略断面図。
【符号の説明】
【００８４】
１，２１，２３，２７，３０，３３…照明器具
２…天板
３，２２，２４，２９，３１，３５…光源部材
４…点光源としての発光ダイオード
５…点灯装置
９…垂下部材としての垂下板
１０，２５，２８，３２…傾斜板
３４…垂下部材としてのパイプ
【図１】
2010034011.tif 000003
【図２】
2010034011.tif 000004
【図３】
2010034011.tif 000005
【図４】
2010034011.tif 000006
【図５】
2010034011.tif 000007
【図６】
2010034011.tif 000008
【図７】
2010034011.tif 000009